(57)【要約】      （修正有）【課題】撮像装置本体の小型化を実現するために、ボタンの周囲を別の操作部材で囲われた場合にも、ボタンの振動を低減することができる撮像装置を提供する。【解決手段】外装カバーに保持される保持部１１ａと接続し、弾性変形可能なアーム部１２を有した操作ボタン１０と、操作ボタン１０の周囲を囲むように設けられ、保持部１１ａより内側に配置された操作部材２０とを有し、アーム部１２は略平行な２本の第１の連結腕と、２本の第１の連結腕との間を連結し、さらに２本の第１の連結腕の外側へと伸長する延在部を設けた第１の連結部を有し、２本の第１の連結腕、及び第１の連結部と同様に操作ボタン１０中心に対して反対側へ設けられた、それぞれに対となる２本の第２の連結腕、及び第２の連結部と、第１の連結部と第２の連結部のそれぞれの延在部の両端を連結する補強腕を有し、補強腕と操作ボタン１０とを接続する保持腕で構成されている。【選択図】図１（ａ）
2016014806.tif 000002
【特許請求の範囲】
【請求項１】
操作可能なボタン類を有した電子機器であって、
外装カバーに保持される保持部（１１ａ）と接続し、弾性変形可能なアーム部（１２）を有した操作ボタン（１０）と、
前記操作ボタン（１０）の周囲を囲むように設けられ、前記保持部（１１ａ）より内側に配置された操作部材（２０）とを有し、
前記アーム部（１２）は前記保持部（１１ａ）から前記操作ボタン（１０）へ向かって伸長する平行な２本の第１の連結腕（１３ａ）と、
前記２本の第１の連結腕（１３ａ）との間を連結し、さらに前記２本の第１の連結腕（１３ａ）の外側へと伸長する延在部（１４ｃ）を設けた第１の連結部（１４ａ）を有し、
前記２本の第１の連結腕（１３ａ）、及び前記第１の連結部（１４ａ）と同様に前記操作ボタン（１０）中心に対して反対側へ設けられた、それぞれに対となる２本の第２の連結腕（１３ｂ）、及び第２の連結部（１４ｂ）と、
前記第１の連結部（１４ａ）と前記第２の連結部（１４ｂ）のそれぞれの延在部（１４ｃ）、（１４ｄ）の両端を連結する補強腕（１５ａ）、（１５ｂ）を有し、
前記補強腕（１５ａ）、（１５ｂ）と前記操作ボタン（１０）とを接続する保持腕（１６ａ）、（１６ｂ）で構成されている
ことを特徴とする電子機器。
【請求項２】
前記２本の第２の連結腕（１３ｂ）、及び前記第２の連結部（１４ｂ）は、前記２本の第１の連結腕（１３ａ）、及び前記第１の連結部（１４ａ）と前記操作ボタン（１０）中心に点対称に反対側へ設けられ、
さらに、前記補強腕（１５ａ）、（１５ｂ）は前記第１の連結部（１３ａ）と前記第２の連結部（１３ｂ）のそれぞれの延在部（１４ｃ）、（１４ｄ）の両端を直交に連結することを特徴とする請求項１に記載の電子機器。
【請求項３】
前記第１の連結部（１４ａ）、前記第２の連結部（１４ｂ）、前記補強腕（１５ａ）、（１５ｂ）は前記操作部材（２０）の内側にて構成されていることを特徴とする請求項１又は請求項２に記載の電子機器。
【請求項４】
前記保持部（１１ａ）は外装カバー（６０）へ固定されることを特徴とする請求項１乃至請求項３の何れか一項に記載の電子機器。
【発明の詳細な説明】
【技術分野】
【０００１】
本発明は、画像を撮影する画像撮像装置において小型化を実現しながら、画像等を表示する表示手段と、機器を操作するための操作手段を有した電子機器の操作手段の構造に関するものである。
【背景技術】
【０００２】
従来、デジタルスチルカメラのような撮像装置には、主に背面側に表示部を有している。表示部には、撮影時の様々な設定変更や、撮影モードの変更等を選択、決定をするためのメニュー画面が表示される。そして、前記メニュー画面に表示された複数の前記設定や撮影モードの中から１つを選択するための方向ボタン、及び選択した前記設定や撮影モードの動作を有効にするための決定ボタンを有している。
【０００３】
前記方向ボタンは、図３のように、上下左右の各方向ボタンが一つとなった円形の方向ボタン２００が知られている。この方向ボタン２００の上下端と左右端は、前記メニュー画面に表示された複数の前記設定や撮影モードの現在選択されている設定ないし撮影モードから、上下左右方向に表示されている設定ないし撮影モードを選択する。そして、前記方向ボタン２００の中心部は中空になっており、前記方向ボタン２００とは独立した決定ボタン１００が配置されており、押下することによりメニュー画面内で選択されている設定や撮影モードの動作を有効にすることができる。ところで、特許文献１ではボタンの振動を低減させるものが開示されている。
【先行技術文献】
【特許文献】
【０００４】
【特許文献１】特開２０１３−２２９１３３号公報
【発明の概要】
【発明が解決しようとする課題】
【０００５】
しかしながら、上述の方法では弾性腕を外装カバーに押しつける必要があるため、図３で説明したような決定ボタンの周囲を囲うように方向ボタンが構成されると、方向ボタン直下で振動を低減させる構成をとることができない。
【０００６】
本発明は、上記従来技術の問題を解決するためになされたものであり、ボタンの周囲を別の操作部材で囲われた場合にも、ボタンの振動を低減することができる撮像装置を提供することにある。
【課題を解決するための手段】
【０００７】
本発明の構成は、操作可能なボタン類を有した電子機器であって、外装カバーに保持される保持部（１１ａ）と接続し、弾性変形可能なアーム部（１２）を有した操作ボタン（１０）と、前記操作ボタン（１０）の周囲を囲むように設けられ、前記保持部（１１ａ）より内側に配置された操作部材（２０）とを有し、前記アーム部（１２）は前記保持部（１１ａ）から前記操作ボタン（１０）へ向かって伸長する略平行な２本の第１の連結腕（１３ａ）と、前記２本の第１の連結腕（１３ａ）との間を連結し、さらに前記２本の第１の連結腕（１３ａ）の外側へと伸長する延在部（１４ｃ）を設けた第１の連結部（１４ａ）を有し、前記２本の第１の連結腕（１３ａ）、及び前記第１の連結部（１４ａ）と同様に前記操作ボタン（１０）中心に対して反対側へ設けられた、それぞれに対となる２本の第２の連結腕（１３ｂ）、及び第２の連結部（１４ｂ）と、前記第１の連結部（１４ａ）と前記第２の連結部（１４ｂ）のそれぞれの延在部（１４ｃ）、（１４ｄ）の両端を連結する補強腕（１５ａ）、（１５ｂ）を有し、前記補強腕（１５ａ）、（１５ｂ）と前記操作ボタン（１０）とを接続する保持腕（１６ａ）、（１６ｂ）で構成されていることを特徴とする。
【発明の効果】
【０００８】
本発明によれば、ボタンの周囲を別の操作部材で囲われた場合にも、ボタン操作時の振動を低減させる電子機器を提供することができる。
【図面の簡単な説明】
【０００９】
【図１（ａ）】撮像装置本体の決定ボタン１０の周辺を内面から透視した裏面図
【図１（ｂ）】図１（ａ）に示す決定ボタン１０の裏面図
【図１（ｃ）】図２（ｂ）におけるＡ−Ａ断面図
【図１（ｄ）】図２（ｂ）におけるＢ−Ｂ断面図
【図２（ａ）】撮像装置であるデジタルカメラの正面斜視図
【図２（ｂ）】図２（ａ）に示すデジタルカメラの背面斜視図
【図２（ｃ）】図２（ａ）に示すデジタルカメラの背面図
【図３】従来例の撮像装置であるデジタルカメラの背面斜視図
【発明を実施するための形態】
【００１０】
以下に、本発明の好ましい実施の形態を、添付の図面に基づいて詳細に説明する。図１〜図２は、本発明の実施形態にかかわるボタンの周囲を別の操作部材に囲われるように構成した撮像装置の図である。
【実施例１】
【００１１】
図２（ａ）は、本発明の実施例における撮像装置であるデジタルカメラ正面斜視図であり、図２（ｂ）は、背面斜視図である。図２（ｃ）は背面図であり操作部を表している。
【００１２】
図２（ａ）において、５１は撮像装置本体であり、その前面部には被写体像を屈折、集光し不図示の撮像素子へ結像する撮影レンズ５２が設けられている。図２（ａ）の状態では撮影レンズ５２は前記撮像装置本体５１内に沈胴している。なお、カメラの電源スイッチ５３をオンすると、撮影レンズ５２が前記撮像装置本体５１から突出して撮影が可能となる。５４は回転操作可能なズームレバーである。前記ズームレバー５４は回動自在に前記撮像装置本体５１に具備されている。このズームレバー５４を回転させることにより、撮影レンズ５２を広角、望遠側へと移動させて所望な撮像範囲を決めることができる。そして、レリーズボタン５５を押下することにより、前述の撮像素子（ＣＣＤやＣＭＯＳセンサ等）により撮像され、前記撮像装置本体５１内に装填された半導体メモリ等の外部記録媒体に撮影画像が記録される。５６は音声入力用のマイクである。マイク５６からの音声データは、画像データと合わせて前記記録媒体に記録することができる。また、前記撮像装置本体５１の上面には、操作音や音声再生用スピーカー５７が設けられており、記録媒体に保存されている音声を再生したり、操作手段の操作に応じて操作音などが再生できる。
【００１３】
図２（ｂ）、（ｃ）に示すように、前記撮像装置本体５１の背面には、背面外装カバー６０に、撮影モードを選択するためのメニュー表示や、撮像する被写体の画像や撮像された画像を表示する表示部３０が設けられている。本実施例では前記表示部３０には液晶ディスプレイが使用されているものとする。１０は前記メニュー画面内で選択されている設定や撮影モードの動作を有効にする決定ボタンである。
【００１４】
２０は前記メニュー画面内に表示された複数の設定や撮影モードの中から１つを選択するための方向ボタンであり、前記決定ボタン１０の周囲を囲うように配置されている。ここで、２０ａは、方向選択部であり、それぞれの方向選択部２０ａを押下することにより、押下された部位を後述するボタンスイッチ２２によって検知可能となっており、本実施例での検知可能な部位は上下左右方向となっている。１９はその他の操作ボタンであり、前記メニュー表示や、撮像された画像を表示する再生モードへの切り替わり等に使用される。なお、上述の撮像装置としての諸動作は、不図示のメイン基板に構成された電気回路によって制御されているものとする。
【００１５】
図１（ａ）は撮像装置本体５１の前記決定ボタン１０の周辺を内面から透視した裏面図であり、説明を分かり易くするため前記背面外装カバー６０、前記決定ボタン１０、前記方向ボタン２０以外を不図示にした状態である。
【００１６】
同図において１１ａは前記方向ボタン２０の外側に配置され、前記決定ボタン１０と後述するアーム部１２によって一体に構成された保持部であり、前記背面外装カバー６０へと固定されている。１７は前記決定ボタン１０のフランジ部であり、外部から前記方向ボタン２０との隙間から内部が見えることを防止しつつ、後述のアーム部１２と一体的に接続している。１２は前記保持部１１ａから伸長し前記フランジ部１７と接続しているアーム部である。
【００１７】
また、本実施例では前記その他の操作ボタン１９も前記保持部１１ａから伸長した不図示のアームにより接続されており、前記決定ボタン１０と前記その他のボタン１９は１つの部品となっているものとする。なお、前記方向ボタン２０についても、不図示のアーム部を有しており、アーム部が前記保持部１１ａと前記背面外装カバー６０に挟持されることにより紙面方向に押下可能となっているものとする。
【００１８】
図１（ｃ）は図２（ｂ）におけるＡ−Ａ断面であり、図１（ｄ）は図２（ｂ）におけるＢ−Ｂ断面図であり、前記決定ボタン１０、及び前記方向ボタン２０の断面を示している。
【００１９】
１８は前記決定ボタン１０に設けられた突起部であり、２１は前記方向ボタン２０に設けられた突起部である。ここで、前記突起部２１は、前記方向選択部２０ａの裏側に配置されている。２２ａ、２２ｂは押下されることで電気的な接続、切断を検知可能なボタンスイッチであり、前記突起部１８、及び前記突起部２１により押され、検知できるように複数配置されている。前記決定ボタン１０が押下された場合には、前記突起部１８が前記ボタンスイッチ２２ａを押しこみ、前記決定ボタン１０が押されたことが判定される。また、同様に前記方向ボタン２０の前記方向選択部２０ａが押下された場合には、前記突起部２１が前記ボタンスイッチ２２ｂ、を押しこみ、前記方向選択部２０ａの各方向に該当する選択がされたと判定される。
【００２０】
図１（ｂ）は前記決定ボタン１０の裏面図である。前記アーム部１２は前記保持部１１ａから、前記決定ボタン１０へ伸長し前記フランジ部１７と連結している部分を指しており、後述する第１、第２の連結腕１３ａ、１３ｂ、第１、第２の連結部１４ａ、１４ｂ、延在部１４ｃ、１４ｄ、補強腕１５ａ、１５ｂ、及び保持腕１６ａ、１６ｂにて構成されている。
【００２１】
ここで前記アーム部１２の詳細について説明する。１１ｂは前記保持部１１ａに設けられた開口部であり前記方向ボタン２０が配置可能となっている。１３ａは前記保持部１１ａから前記決定ボタン１０方向へ伸長した２本の平行な第１の連結腕である。１４ａは前記第１の連結腕１３ａと連結する第１の連結部であり、さらにそれぞれの前記第１の連結腕１３ａよりも外側へ延在した２つの延在部１４ｃを有する。１３ｂ、及び１４ｂは、２本の前記第１の連結腕１３ａと、前記第１の連結部１４ａと同様に、前記決定ボタン中心に対して反対側へ点対称に設けられた第２の連結腕、及び第２の連結部で、同様に前記第２の連結腕１３ｂより外側に延在した２つの延在部１４ｄを有している。
【００２２】
１５ａ及び１５ｂは、前記第１の連結部１４ａと前記第２の連結部１４ｂのそれぞれの両端の延在部１４ｃ、１４ｄを連結し補強する補強腕である。１６ａ、１６ｂは、前記補強腕１５ａ、１５ｂから伸長し、前記フランジ部１７と接続している保持腕である。本実施例においては前記決定ボタンの姿勢を保持するため、それぞれの前記補強腕１５ａ、１５ｂから前記保持腕１６ａ、１６ｂを２本ずつ配置しているが、前記決定ボタンの姿勢を保持することが可能であれば１本ずつでも可能である。また、前記第１の連結腕１３ａ、及び前記第２の連結腕１３ｂを紙面略垂直方向に伸長させているが、前記保持部１１ａから前記決定ボタン１０方向へ伸長していればどの方向でもよい。
【００２３】
本実施例では、２本の前記第１の連結腕１３ａ、前記第２の連結腕１３ｂが、前記第１の連結部１４ａ、前記第２の連結部１４ｂ、前記延在部１４ｃ、１４ｄ、前記補強腕１５ａ、１５ｂを介して前記開口部１１ｂを横断して繋がることにより垂直方向の剛性が上がっている。また、前記連結部１４ａ、１４ｂが２本の前記第１の連結腕１３ａ、及び前記第２の連結腕１３ｂとそれぞれ連結しているため、水平方向の剛性が上がっている。
【００２４】
操作者が、前記決定ボタン１０押下した際には、前記ボタンスイッチ２２ａが直下にあるため前記アーム部１２をバネとして感じないが、指を離した後、前記アーム部１２がバネとして働き、その復帰力にて前記決定ボタン１０が元の位置へと戻る。しかしながら、前記決定ボタン押下時、いじわる的に弾くように指を離すと、復帰力により前記決定ボタン１０の前記フランジ部１７と前記背面外装カバー６０が勢いよく衝突し、振動を発生する事がある。
【００２５】
ここで、フックの法則により、Ｆをバネに作用する力、ｋをバネ定数、ｘをバネの変位量とすると次式が知られている。
【００２６】
Ｆ＝−ｋｘ
前記アーム部１２の剛性が強いということはバネ定数ｋが大きくなっているということである。
【００２７】
上式によると、前記決定ボタン１０が前記背面外装カバー６０に衝突した時に前記決定ボタン１０に働く反力Ｆ、バネ定数ｋが大きくなる程、前記決定ボタン１０の変位量ｘが減るということを示している。よって、バネ定数、即ち前記アーム部１２の剛性を所定より大きい値にすることで、前記決定ボタン１０の振幅を小さくすることができるので、操作者が感じる振動が低減される。
【００２８】
本実施例においての振動は、前記アーム部１２の垂直方向、及び水平方向のそれぞれの剛性を上げることにより、前記決定ボタン１０をいじわる的に弾くように操作した際の振動を低減することを可能としている。
【００２９】
以上、本発明の好ましい実施形態について説明したが、本発明はこれらの実施形態に限定されず、その要旨の範囲内で種々の変形及び変更が可能である。
【符号の説明】
【００３０】
１０  決定ボタン、１１ａ  保持部、１１ｂ  開口部、１２  アーム部、
１３ａ  第１の連結腕、１３ｂ  第２の連結腕、１４ａ  第１の連結部、
１４ｂ  第２の連結部、１４ｃ  延在部、１４ｄ  延在部、１５ａ  補強腕、
１５ｂ  補強腕１６ａ  保持腕、１６ｂ  保持腕、１７  フランジ部、１８  突起部、
１９  ボタン、２０  方向ボタン、２０ａ  方向選択部、２１  突起部、
２２（ａ）  ボタンスイッチ、２２（ｂ）  ボタンスイッチ、３０  表示部、
５１  カメラ本体、５２  撮影レンズ、５３  電源スイッチ、５４  ズームレバー、
５５  レリーズボタン、５６  マイク、５７  スピーカー、６０  背面外装カバー、
１００  従来例の決定ボタン、２００  従来例の方向ボタン
【図１（ａ）】
2016014806.tif 000003
【図１（ｂ）】
2016014806.tif 000004
【図１（ｃ）】
2016014806.tif 000005
【図１（ｄ）】
2016014806.tif 000006
【図２（ａ）】
2016014806.tif 000007
【図２（ｂ）】
2016014806.tif 000008
【図２（ｃ）】
2016014806.tif 000009
【図３】
2016014806.tif 000010